(57)【要約】      （修正有）【課題】５本指靴下を履く、補助具を提供する。【解決手段】足形の形状を有する中敷き部１と、前記中敷き部１を収納する、底面と側面を有する本体部２とを備える靴下を履くための補助具です。中敷き部１と本体部２を、一体形状としてもかまいません。また、中敷き部１より厚みのあって、前記中敷き部１と、本体２を靴下に装着後に抜くための補強板３を有する場合も、楽に靴下を履くことができます。【選択図】図５
2019017763.tif 000002
【特許請求の範囲】
【請求項１】
足形の形状を有する、中敷き部と、前記中敷き部を収納する、底面と側面を有する本体部とを備えることを、特徴とする靴下を履くための補助具。
【請求項２】
中敷き部と本体部を、一体形状としたことを特徴とする、請求項１に記載の靴下を履くための補助具。
【請求項３】
中敷き部より厚みのあって、前記中敷き部と、本体を靴下に装着後に抜くための補強板を有することを特徴とする、請求項１又は２に記載の靴下を履くための補助具。
【発明の詳細な説明】
【技術分野】
【０００１】
本発明は、5本指の靴下を履くための補助具に関する。
【背景技術】
【０００２】
私８２歳です５本指靴下を作る動機は、以前から腰、膝、が悪く５本指靴下を履くのに苦労してきました、最悪のときは、家族に手助けして貰いながらきました。
【０００３】
先駆者の方々の作品は健常者の方が使用されるような補助具より道具に近いと見ました我々のような非力なものには使うことは無理です。この課題の解決方法として、実用新案登録第３１５３１００号公報に開示された技術があります。この特許文献と、本物件とは、履くという目的は同じでも、特許文献の発明は、どうしても自分の力では履けない人が必要としている、補助具ではないと思います、本物件は特許文献と比較して、容易に目的を達成することが、可能と思います。すなわち、５本指の補助具だから必ず５本の指の形が出て来ると思います。
【先行技術文献】
【特許文献】
【０００４】
【特許文献１】実用新案登録第３１５３１００号公報
【発明の概要】
【発明が解決しようとする課題】
【０００５】
２９年１月１１日  ギガンバレー症侯群を患い２ケ月の入院、両手が脱力で、全てが人の手を借りての入院生活でした、介助者の方に、その都度５本指でなく普通の靴下に変えるように言われ、お願いしにくくなった時もありました、リハビリセンターに転院１ケ月のリハビリで、やっと何とかボタン、洗濯バサミ、等使えるようになりましたが、まだまだ沢山の、不便さがあります、５本指靴下だけはどうしてもでも履けなかったのです。
【課題を解決するための手段】
【０００６】
第１の発明は、足形の形状を有する、中敷き部と、前記中敷き部を収納する、底面と側面を有する本体部とを備えることを、特徴とする靴下を履くための補助具である。
第２の発明は、第１の発明において、中敷き部と本体部を、一体形状としたことを特徴とする靴下を履くための補助具である。
第３の発明は、第１または第２の発明において、中敷き部より厚みのあって、前記中敷き部と、本体を靴下に装着後に抜くための補強板を有することを特徴とする、靴下を履くための補助具である。
【発明の効果】
【０００７】
この先どうなるのか、不安で、不安で、最初牛乳パックと段ボールから試行錯誤しながら、やっと５本指の靴下が履けたんです、嬉しかったです、今では旅の友です、オーバーかもしれませんが、今までの苦労は、生活リハビリしながらということで退院しました、未だ握力両手が５ｋ／ｇ〜６ｋ／ｇで１００としたら５以下です、こんなに楽に履けるなら、こういうもの待っている人がいるのではと思い参加してみました。退院したての頃は、履かせてもらうため、週１回のヘルパーさんをまっていたことを思えば、楽チン、楽チンです
【図面の簡単な説明】
【０００８】
【図１】本発明の中敷きを示す図である。
【図２】本発明の本体を示す図である。
【図３】本体に中敷きをセットした状態を示す図である。
【図４】本発明の補強用中敷きを示す図である。
【図５】本体に中敷き、および、補強用中敷きをセットした状態を示す図である。
【図６】本発明の補助具に靴下をセットした状態を示す図である。
【図７】本発明の補助具に靴下をセットし、足を入れた状態を示す図である。
【図８】本発明の補助具に靴下をセットし、足を入れた後に補助具（本体）を抜き始めた状態を示す図である。
【図９】補助具（本体）を抜き終わった状態を示す図である。
【図１０】靴下のたるみを伸ばす器具である。
【図１１】本発明の他の実施例の斜視図である。(補強版なし)
【図１２】本発明の他の実施例の横から見た図である。(補強版なし)
【図１３】本発明の他の実施例である。(補強版あり)
【図１４】本発明の他の実施例(補強版あり) に靴下をセットした状態を示す図である。
【発明を実施するための形態】
【０００９】
本発明の「靴下を履くための補助具」は、本体1、中敷き2、補強用中敷き3により、構成されています。また、靴下１６を足に履いたのち、位置を調整する補助具１２を用いることにより、さらに優れた結果が得られます。
【００１０】
図１は本発明の中敷き１です。これは、左右兼用（裏返して用います。）です。右端の凸部は、足を入れる時に中敷き１が前に滑りこまないように本体２にひっかるようにするためのものである。中敷き１の主要部の巾は、１００〜１２０ｍｍ、長さは、２５０〜３００ｍｍ、厚さは０．３〜１．０ｔとしています。例えば、巾１１５ｍｍ（１４５ｍｍ）  長さ３３０ｍｍ（１５ｍｍ）厚さは、０．８ｔです。ただし、図において右に位置する凸部は、巾はプラス１５ｍｍ程度広くしています。材質は、ポリプロピレンです。  厚さは０．８ｍｍｔです。  
【００１１】
図２は補助具の本体２です。これに図１の中敷き１をセットして使います。本体の巾は、１００〜１２０ｍｍ、長さは、２５０〜３００ｍｍ、深さは４０〜８０ｍｍのコの字の形です。厚さは０．３〜１．０ｔとしています。実施例１では、巾：１１７ｍｍ  長さ：２７５ｍｍ  深さは、５０ｍｍ、６０ｍｍ、７０ｍｍのコの字の形の3種と作成しました。  厚さは０.４ｔとしています。穴４は、紐を付けて本体１を引き出すためのものです。材質は特に規定しましせんが、軽くて丈夫な素材ポリプロピレン・アルミ）が適しています。
足が触れる面は、柔らかい，滑りやすい素材を貼り付けると、足を入れやすく、また、皮膚を保護できます。
【００１２】
図３は中敷き１を本体２にセットした状態を示す。中敷き右端部の凸部は、足を入れる時に中敷き１が前にの滑り留めの作用持ちます。
【００１３】
図４は本発明の補強用中敷３（左右兼用）を示す図です。この図においては左用示しています。靴下１６をセットする時に使います。この補強用中敷３は、中敷き１がうすい場合に補強のために使用するもので、中敷き１の上に重ねてセットし、その後に靴下１６をセットし、靴下１６をセットした後に引き出します。４１は、引き出すための穴です。なお、この補強用中敷３の長さは自由に決めてよく、穴の数も一つでもかまいません。補強用中敷３の端部近く（指先）は中敷きより若干、例えば2ｍｍ程度狭くします。また先端部以外の巾さらにせまく、例えば，左右とも１ｃｍ程度
（合計で２ｃｍ程度）狭くします。これは、引き出す時の抵抗を少なくするためです。材質は、例えばポリプロピレン、厚さは２ｍｔ程度が実用的です。
【００１４】
図５に、本体２に中敷き１、および、補強用中敷３をセットした状態を示します。（A）は上から見た状態であり、（B）は（A）において右方向（矢印視）から見た状態です。4は本体１の穴、4１は補強用中敷３の穴です。１４、および１５は本体１の端を示す線です。
なお、この図においては補強用中敷３は、本体２の内部に位置していましが、右端よりででていてもかまいません。
【００１５】
図６は、本発明の「靴下を履くための補助具」に靴下１６をセットした状態を示す図である。靴下１６は図の左側から中央部を過ぎるあたりまで、「靴下を履くための補助具」にかぶせられている。８はセットした靴下１６の皺である。靴下１６の内部にある中敷き１、および、補強用中敷３は本来は破線で示すべきであるが、実線で書いている。なお、この図における状態は、左足に靴下１６を履く場合である。
【００１６】
図７は、本発明の「靴下を履くための補助具」に靴下１６をセットし、足を入れた状態を示す図である。皺８は通常このようにできる。なお、この図においても、靴下１６の内部の「靴下を履くための補助具」の構成部材（図の左側に位置する。）は、本来は破線で示すべきであるが、実線で書いている。
【００１７】
図８は、本発明の補助具に靴下１６をセットし、足を入れた後に補助具（本体２）を抜き始めた状態を示す図である。８は補助具を抜き始め靴下のたわみの移動する前の状態である。９は靴下のたわみの移動した位置である。
【００１８】
図９は補助具（本体）を抜き終わり、これより靴下を上に引き上げ、部品１２を使い、たるみを直す作業に移ります。９は靴下のたわみの移動した位置、１０は補助具を抜き終わった時の靴下のたわみの移動した位置です。
【００１９】
図１０は靴下の指の部分に、足の指が入りきれないたるみを、位置を調整する補助具１２を使い芋虫運動をしながら、たるみを直します。この位置を調整する補助具１２は孫の手のような部材の先端部に面ファスナー１３をつけたものです。この面ファスナー１３により、靴下をくっつけて位置を移動させます。  
【００２０】
図１１は、他の実施例である。前記の中敷１と、本体２を一体化したものである。この図に示した本体２−１は、コーナー部２−３で上下に１８０°折り曲げることができる。図においては、上にした場合と、下にした場合を合わせて描いている。折り曲げることができるため、この実施例においては、一つの「靴下を履くための補助具」により、左右の足に用いることができる。なお、左右別々のものとする場合には、1８０°折りまげ可能とする必要はないことはもちろんである。（２つを１組とする場合）
【００２１】
図１２は本体２−１を横から見た図である。２−１は上に位置する場合と、２−３を支点として回転させて下に位置させる場合がある。
【００２２】
図１３は、図１１に示した、中敷１と、本体２を一体化したもの２−１に対して補強用中敷き３を重ねて用いる例である。左側の指の部分は、本体２−１の指の部分と、補強用中敷き３の指の部分は重なっている。この補強用中敷３の長さは自由に決めてよく、穴の数も一つでもかまいません。
【００２３】
図１４は、本発明の他の実施例(補強版あり)(図１３) に靴下をセットした状態を示す図である。
【００２４】
以下に靴下１６を履く時の説明をします。
（１）補助具のセット方法、本体２に中敷き１を重ねその上にさらに、補強用中敷き３    を重ねその上にさらに、本体２で中敷き１，およびを補強用中敷き３を包むように折りたむ。（中敷き１を薄くしないと足の裏に馴染まない、馴染まないと滑りが悪い）
【００２５】
（２）補助具に靴下をセットします、靴下も色々編み方、素材、があり履き口がきつい物、柔らかいもの、柔らかい物はスムースに収まります、固い靴下は親指の方から小指の方へと交互に入れてください、（約２３０ｍｍ）。靴下が収まりましたら補強用中敷き３を抜きます、中敷き１は薄いため靴下をセットしにくいので補強的に、補強用中敷き３使います。これにより作業がスムースに行われます。
【００２６】
（３）靴下が補助具に収まりましたら、足を入れるのですが、入りやすいように入れる方の足で、床に置いた補助具を押え紐をもちあげると、補助具がめくれ、足をいれます、芋虫のように指を動かし足の裏を滑らし指が靴下の中にこれ以上はいらないところで、つま先を床を押さえつけて図７の状態にします。
【００２７】
（４）これから補助具を抜き始めて、さらに抜き抜きおわると図８のように、靴下の口元が足首のところまで来ました。
【００２８】
（５）抜きおわたっら、つま先で床を押えるようにしてくるぶしまで来ている靴下を手で上げてください。
【００２９】
（６）足の指先の調整は、屈むことのできない人、手の指先に力がない人、膝の悪い人等は位置を調整する補助具を使い、足の指が靴下の中に入りかけたら芋虫運動をしますと楽に収まります、時々小指、薬指が入口で止まります、その時は位置を調整する補助具を使ってください、その先に面ファスナーが付いているので滑らず靴下を動かすのに楽です。位置を調整する補助具の先が（３５ｍｍ）９０度にカーブしているから指の裏まで調整できます。
【００３０】
（７）補助具に靴下をセットします、靴下も色々編み方、素材、があり履き口がきつい物、柔らかいもの、柔らかい物はスムースに収まります、固い靴下は親指の方から小指の方へと交互に入れてください、（約２３０ｍｍ）。靴下が収まりましたら補強用中敷き３を抜きます、中敷き１は薄いため靴下をセットしにくいので補強的に使います。なお、中敷き１が厚いと作業がスムースに行われないためです。
【符号の説明】
【００３１】
１  中敷き
２  本体
２−１本体（上下に折り曲げできる本体）
２−３上下に折り曲げ出来る本体の折り曲げ部
３  補強用中敷き
４  紐を通す穴（本体）
４１紐を通す穴（補強用中敷き）
８  補助具を抜き始め靴下のたわみの移動する前の状態
９  靴下のたわみの移動した位置
１０  補助具を抜き終わった時の靴下のたわみの移動した位置
１２  位置を調整する補助具
１３  面ファスナー
１４  本体の前面の影線
１５  本体の後面の影線
１６  靴下
【図１】
2019017763.tif 000003
【図２】
2019017763.tif 000004
【図３】
2019017763.tif 000005
【図４】
2019017763.tif 000006
【図５】
2019017763.tif 000007
【図６】
2019017763.tif 000008
【図７】
2019017763.tif 000009
【図８】
2019017763.tif 000010
【図９】
2019017763.tif 000011
【図１０】
2019017763.tif 000012
【図１１】
2019017763.tif 000013
【図１２】
2019017763.tif 000014
【図１３】
2019017763.tif 000015
【図１４】
2019017763.tif 000016
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
５本指の足形の、形状を有する、中敷き部と、底板と、底板の両側に、折り畳み可能に、連結された、側板と、両側の側板の、後方部に設けられた、紐を通すための、穴を有する本体部と、前記中敷き部を、補強するための、５本指の足形の、形状を有する、補強板により、構成された、５本指靴下を、履く為の補助具であって、使用時には、中敷き部及び、補強板が、本体部の底板上に、載置され、側板が折り畳まれ、靴下の５本指部分を、中敷き部及び補強板の、５本指部分にかぶせ、５本指靴下を、本体部を、覆うように、かぶせる事により、靴下が装着され、靴下が装着された後に、補強板を抜き、靴下と、中敷き部の、間に足を挿入し、紐を引くことにより、靴下を履くことを、可能とした、５本指靴下を、履く為の補助具。